(57)【要約】【課題】送信結果をより迅速にユーザに通知することができるネットワークファクシミリ装置を提供することを目的としている。【解決手段】送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、電子メールを用いて画情報を送信する際、ユーザにより指定されたメールアドレスを、返信用メールアドレスとして、画情報を運ぶ電子メールのヘッダ情報に挿入する画情報送信手段を備えた。【選択図】        図１
2007060683.tif 000002
【特許請求の範囲】
【請求項１】
送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、
電子メールを用いて画情報を送信する際、ユーザにより指定されたメールアドレスを、返信用メールアドレスとして、画情報を運ぶ電子メールのヘッダ情報に挿入する画情報送信手段を備えたことを特徴とするネットワークファクシミリ装置。
【請求項２】
送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、
所定の桁数の数字からなるユーザコードと、そのユーザコードに登録されているメールアドレスを対応づけて記憶したユーザコードテーブル手段と、
電子メールを用いて画情報を送信する際、ユーザにより指定されたユーザコードに対応したメールアドレスを上記ユーザコードテーブル手段より取り出し、その取り出したメールアドレスを、返信用メールアドレスとして、画情報を運ぶ電子メールのヘッダ情報に挿入する画情報送信手段を備えたことを特徴とするネットワークファクシミリ装置。
【請求項３】
送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、
電子メールを用いて画情報を送信する際、ユーザにより操作入力されたメールアドレスを、返信用メールアドレスとして、画情報を運ぶ電子メールのヘッダ情報に挿入する画情報送信手段を備えたことを特徴とするネットワークファクシミリ装置。
【請求項４】
送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、
所定の桁数の数字からなるユーザコードと、そのユーザコードに登録されているメールアドレスを対応づけて記憶したユーザコードテーブル手段と、
電子メールを用いて画情報を送信する際、ユーザにより指定されたユーザコードに対応した第１のメールアドレスを上記ユーザコードテーブル手段より取り出すとともに、ユーザにより第２のメールアドレスを操作入力させ、上記第１のメールアドレスと第２のメールアドレスを、返信用メールアドレスとして、画情報を運ぶ電子メールのヘッダ情報に挿入する画情報送信手段を備えたことを特徴とするネットワークファクシミリ装置。
【請求項５】
送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、
所定の桁数の数字からなるユーザコードと、そのユーザコードに登録されているメールアドレスを対応づけて記憶したユーザコードテーブル手段と、
電子メールを用いて画情報を送信する際、ユーザにより指定されたユーザコードに対応した第１のメールアドレスを上記ユーザコードテーブル手段より取り出すとともに、自端末に登録されているメールアドレスを第２のメールアドレスとして取得し、上記第１のメールアドレスと第２のメールアドレスを、返信用メールアドレスとして、画情報を運ぶ電子メールのヘッダ情報に挿入する画情報送信手段を備えたことを特徴とするネットワークファクシミリ装置。
【請求項６】
送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、
電子メールを用いて画情報を送信する際、ユーザにより操作入力されたメールアドレスを第１のメールアドレスとして取得するとともに、自端末に登録されているメールアドレスを第２のメールアドレスとして取得し、上記第１のメールアドレスと第２のメールアドレスを、返信用メールアドレスとして、画情報を運ぶ電子メールのヘッダ情報に挿入する画情報送信手段を備えたことを特徴とするネットワークファクシミリ装置。
【請求項７】
送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、
電子メールを用いて画情報を送信する際、ＭＤＮ要求情報を画情報を運ぶ電子メールのヘッダ情報に挿入するとともに、そのＭＤＮ送付先のメールアドレスとして、ユーザにより指定されたメールアドレスをセットする画情報送信手段を備えたことを特徴とするネットワークファクシミリ装置。
【請求項８】
送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、
所定の桁数の数字からなるユーザコードと、そのユーザコードに登録されているメールアドレスを対応づけて記憶したユーザコードテーブル手段と、
電子メールを用いて画情報を送信する際、ＭＤＮ要求情報を画情報を運ぶ電子メールのヘッダ情報に挿入する一方、ユーザにより指定されたユーザコードに対応したメールアドレスを上記ユーザコードテーブル手段より取り出し、その取り出したメールアドレスを、ＭＤＮ送付先のメールアドレスとしてセットする画情報送信手段を備えたことを特徴とするネットワークファクシミリ装置。
【請求項９】
送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、
電子メールを用いて画情報を送信する際、ＭＤＮ要求情報を画情報を運ぶ電子メールのヘッダ情報に挿入する一方、ユーザにより操作入力されたメールアドレスを、ＭＤＮ送付先のメールアドレスとしてセットする画情報送信手段を備えたことを特徴とするネットワークファクシミリ装置。
【請求項１０】
送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、
所定の桁数の数字からなるユーザコードと、そのユーザコードに登録されているメールアドレスを対応づけて記憶したユーザコードテーブル手段と、
電子メールを用いて画情報を送信するとき、ＭＤＮ要求情報を画情報を運ぶ電子メールのヘッダ情報に挿入する一方、ユーザにより指定されたユーザコードに対応した第１のメールアドレスを上記ユーザコードテーブル手段より取り出すとともに、ユーザにより第２のメールアドレスを操作入力させ、上記第１のメールアドレスと第２のメールアドレスを、ＭＤＮ送付先のメールアドレスとしてセットする画情報送信手段を備えたことを特徴とするネットワークファクシミリ装置。
【請求項１１】
送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、
所定の桁数の数字からなるユーザコードと、そのユーザコードに登録されているメールアドレスを対応づけて記憶したユーザコードテーブル手段と、
電子メールを用いて画情報を送信する際、ＭＤＮ要求情報を画情報を運ぶ電子メールのヘッダ情報に挿入する一方、ユーザにより指定されたユーザコードに対応した第１のメールアドレスを上記ユーザコードテーブル手段より取り出すとともに、自端末に登録されているメールアドレスを第２のメールアドレスとして取得し、上記第１のメールアドレスと第２のメールアドレスを、ＭＤＮ送付先のメールアドレスとしてセットする画情報送信手段を備えたことを特徴とするネットワークファクシミリ装置。
【請求項１２】
送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、
電子メールを用いて画情報を送信する際、ＭＤＮ要求情報を画情報を運ぶ電子メールのヘッダ情報に挿入する一方、ユーザにより操作入力されたメールアドレスを第１のメールアドレスとして取得するとともに、自端末に登録されているメールアドレスを第２のメールアドレスとして取得し、上記第１のメールアドレスと第２のメールアドレスを、ＭＤＮ送付先のメールアドレスとしてセットする画情報送信手段を備えたことを特徴とするネットワークファクシミリ装置。
【発明の詳細な説明】
【技術分野】
【０００１】
本発明は、送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置に関する。
【背景技術】
【０００２】
従来より、送信原稿を読み取って所定のファクシミリ画情報を作成するとともに、受信画情報を処理可能なファクシミリ装置機能と、一般公衆網（アナログ公衆網ＰＳＴＮまたはデジタル公衆網ＩＳＤＮ）に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置が実用されている。
【０００３】
このようなネットワークファクシミリ装置を用いると、ローカルエリアネットワークまたはインターネットに接続されている端末などのユーザへ、画情報を送信することができるので非常に便利である。
【非特許文献１】ＩＴＵ−Ｔ勧告Ｔ．３７
【発明の開示】
【発明が解決しようとする課題】
【０００４】
ところで、通常、電子メールを用いて画情報を送信する場合、一般公衆網を用いて直接相手端末へ接続して画情報を送信する場合とは異なり、画情報が宛先へ届いたのかを知ることができない。
【０００５】
そこで、受信側で画情報を受信できた旨を送信側へ通知するために、通知用電子メールを作成して送信側へ送信する方法が考えられるが、かかる場合、通知用電子メールの送信先が、送信側のネットワークファクシミリ装置であるため、送信ユーザが画情報の送信結果を知るまでに時間がかかるという不具合を生じるおそれがある。
【０００６】
本発明は、かかる実情に鑑みてなされたものであり、送信結果をより迅速にユーザに通知することができるネットワークファクシミリ装置を提供することを目的としている。
【課題を解決するための手段】
【０００７】
本発明は、送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、電子メールを用いて画情報を送信する際、ユーザにより指定されたメールアドレスを、返信用メールアドレスとして、画情報を運ぶ電子メールのヘッダ情報に挿入する画情報送信手段を備えたものである。
【０００８】
また、送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、所定の桁数の数字からなるユーザコードと、そのユーザコードに登録されているメールアドレスを対応づけて記憶したユーザコードテーブル手段と、電子メールを用いて画情報を送信する際、ユーザにより指定されたユーザコードに対応したメールアドレスを上記ユーザコードテーブル手段より取り出し、その取り出したメールアドレスを、返信用メールアドレスとして、画情報を運ぶ電子メールのヘッダ情報に挿入する画情報送信手段を備えたものである。
【０００９】
また、送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、電子メールを用いて画情報を送信する際、ユーザにより操作入力されたメールアドレスを、返信用メールアドレスとして、画情報を運ぶ電子メールのヘッダ情報に挿入する画情報送信手段を備えたものである。
【００１０】
また、送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、所定の桁数の数字からなるユーザコードと、そのユーザコードに登録されているメールアドレスを対応づけて記憶したユーザコードテーブル手段と、電子メールを用いて画情報を送信する際、ユーザにより指定されたユーザコードに対応した第１のメールアドレスを上記ユーザコードテーブル手段より取り出すとともに、ユーザにより第２のメールアドレスを操作入力させ、上記第１のメールアドレスと第２のメールアドレスを、返信用メールアドレスとして、画情報を運ぶ電子メールのヘッダ情報に挿入する画情報送信手段を備えたものである。
【００１１】
また、送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、所定の桁数の数字からなるユーザコードと、そのユーザコードに登録されているメールアドレスを対応づけて記憶したユーザコードテーブル手段と、電子メールを用いて画情報を送信する際、ユーザにより指定されたユーザコードに対応した第１のメールアドレスを上記ユーザコードテーブル手段より取り出すとともに、自端末に登録されているメールアドレスを第２のメールアドレスとして取得し、上記第１のメールアドレスと第２のメールアドレスを、返信用メールアドレスとして、画情報を運ぶ電子メールのヘッダ情報に挿入する画情報送信手段を備えたものである。
【００１２】
また、送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、電子メールを用いて画情報を送信する際、ユーザにより操作入力されたメールアドレスを第１のメールアドレスとして取得するとともに、自端末に登録されているメールアドレスを第２のメールアドレスとして取得し、上記第１のメールアドレスと第２のメールアドレスを、返信用メールアドレスとして、画情報を運ぶ電子メールのヘッダ情報に挿入する画情報送信手段を備えたものである。
【００１３】
また、送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、電子メールを用いて画情報を送信する際、ＭＤＮ要求情報を画情報を運ぶ電子メールのヘッダ情報に挿入するとともに、そのＭＤＮ送付先のメールアドレスとして、ユーザにより指定されたメールアドレスをセットする画情報送信手段を備えたものである。
【００１４】
また、送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、所定の桁数の数字からなるユーザコードと、そのユーザコードに登録されているメールアドレスを対応づけて記憶したユーザコードテーブル手段と、電子メールを用いて画情報を送信する際、ＭＤＮ要求情報を画情報を運ぶ電子メールのヘッダ情報に挿入する一方、ユーザにより指定されたユーザコードに対応したメールアドレスを上記ユーザコードテーブル手段より取り出し、その取り出したメールアドレスを、ＭＤＮ送付先のメールアドレスとしてセットする画情報送信手段を備えたものである。
【００１５】
また、送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、電子メールを用いて画情報を送信する際、ＭＤＮ要求情報を画情報を運ぶ電子メールのヘッダ情報に挿入する一方、ユーザにより操作入力されたメールアドレスを、ＭＤＮ送付先のメールアドレスとしてセットする画情報送信手段を備えたものである。
【００１６】
また、送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、所定の桁数の数字からなるユーザコードと、そのユーザコードに登録されているメールアドレスを対応づけて記憶したユーザコードテーブル手段と、電子メールを用いて画情報を送信するとき、ＭＤＮ要求情報を画情報を運ぶ電子メールのヘッダ情報に挿入する一方、ユーザにより指定されたユーザコードに対応した第１のメールアドレスを上記ユーザコードテーブル手段より取り出すとともに、ユーザにより第２のメールアドレスを操作入力させ、上記第１のメールアドレスと第２のメールアドレスを、ＭＤＮ送付先のメールアドレスとしてセットする画情報送信手段を備えたものである。
【００１７】
また、送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、所定の桁数の数字からなるユーザコードと、そのユーザコードに登録されているメールアドレスを対応づけて記憶したユーザコードテーブル手段と、電子メールを用いて画情報を送信する際、ＭＤＮ要求情報を画情報を運ぶ電子メールのヘッダ情報に挿入する一方、ユーザにより指定されたユーザコードに対応した第１のメールアドレスを上記ユーザコードテーブル手段より取り出すとともに、自端末に登録されているメールアドレスを第２のメールアドレスとして取得し、上記第１のメールアドレスと第２のメールアドレスを、ＭＤＮ送付先のメールアドレスとしてセットする画情報送信手段を備えたものである。
【００１８】
また、送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、電子メールを用いて画情報を送信する際、ＭＤＮ要求情報を画情報を運ぶ電子メールのヘッダ情報に挿入する一方、ユーザにより操作入力されたメールアドレスを第１のメールアドレスとして取得するとともに、自端末に登録されているメールアドレスを第２のメールアドレスとして取得し、上記第１のメールアドレスと第２のメールアドレスを、ＭＤＮ送付先のメールアドレスとしてセットする画情報送信手段を備えたものである。
【発明の効果】
【００１９】
したがって、本発明によれば、送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、電子メールを用いて画情報を送信する際、ユーザにより指定されたメールアドレスを、返信用メールアドレスとして、画情報を運ぶ電子メールのヘッダ情報に挿入する画情報送信手段を備えたので、ユーザが指定したメールアドレスへ、エラー通知メールなどの返信情報が送信され、画情報の送信結果をより迅速に得ることができるようになるという効果を得る。
【００２０】
また、送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、所定の桁数の数字からなるユーザコードと、そのユーザコードに登録されているメールアドレスを対応づけて記憶したユーザコードテーブル手段と、電子メールを用いて画情報を送信する際、ユーザにより指定されたユーザコードに対応したメールアドレスを上記ユーザコードテーブル手段より取り出し、その取り出したメールアドレスを、返信用メールアドレスとして、画情報を運ぶ電子メールのヘッダ情報に挿入する画情報送信手段を備えたので、ユーザコードに登録されているメールアドレスへ、エラー通知メールなどの返信情報が送信され、画情報の送信結果をより迅速に得ることができるようになるという効果も得る。
【００２１】
また、送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、電子メールを用いて画情報を送信する際、ユーザにより操作入力されたメールアドレスを、返信用メールアドレスとして、画情報を運ぶ電子メールのヘッダ情報に挿入する画情報送信手段を備えたので、ユーザが操作入力したメールアドレスへ、エラー通知メールなどの返信情報が送信され、画情報の送信結果をより迅速に得ることができるようになるという効果も得る。
【００２２】
また、送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、所定の桁数の数字からなるユーザコードと、そのユーザコードに登録されているメールアドレスを対応づけて記憶したユーザコードテーブル手段と、電子メールを用いて画情報を送信する際、ユーザにより指定されたユーザコードに対応した第１のメールアドレスを上記ユーザコードテーブル手段より取り出すとともに、ユーザにより第２のメールアドレスを操作入力させ、上記第１のメールアドレスと第２のメールアドレスを、返信用メールアドレスとして、画情報を運ぶ電子メールのヘッダ情報に挿入する画情報送信手段を備えたので、ユーザコードに登録されているメールアドレスと、ユーザが操作入力したメールアドレスへ、エラー通知メールなどの返信情報が送信され、画情報の送信結果をより迅速に得ることができるようになるという効果も得る。
【００２３】
また、送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、所定の桁数の数字からなるユーザコードと、そのユーザコードに登録されているメールアドレスを対応づけて記憶したユーザコードテーブル手段と、電子メールを用いて画情報を送信する際、ユーザにより指定されたユーザコードに対応した第１のメールアドレスを上記ユーザコードテーブル手段より取り出すとともに、自端末に登録されているメールアドレスを第２のメールアドレスとして取得し、上記第１のメールアドレスと第２のメールアドレスを、返信用メールアドレスとして、画情報を運ぶ電子メールのヘッダ情報に挿入する画情報送信手段を備えたので、ユーザが指定したメールアドレスと、ユーザコードに登録されているメールアドレスへ、エラー通知メールなどの返信情報が送信され、画情報の送信結果をより迅速に得ることができるようになるという効果も得る。
【００２４】
また、送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、電子メールを用いて画情報を送信する際、ユーザにより操作入力されたメールアドレスを第１のメールアドレスとして取得するとともに、自端末に登録されているメールアドレスを第２のメールアドレスとして取得し、上記第１のメールアドレスと第２のメールアドレスを、返信用メールアドレスとして、画情報を運ぶ電子メールのヘッダ情報に挿入する画情報送信手段を備えたので、ユーザが操作入力したメールアドレスと、ネットワークファクシミリ装置に登録されているメールアドレスへ、エラー通知メールなどの返信情報が送信され、画情報の送信結果をより迅速に得ることができるようになるという効果も得る。
【００２５】
また、送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、電子メールを用いて画情報を送信する際、ＭＤＮ要求情報を画情報を運ぶ電子メールのヘッダ情報に挿入するとともに、そのＭＤＮ送付先のメールアドレスとして、ユーザにより指定されたメールアドレスをセットする画情報送信手段を備えたので、ユーザが指定したメールアドレスへ、ＭＤＮの送達確認メールが送信され、画情報の送信結果をより迅速に得ることができるようになるという効果も得る。
【００２６】
また、送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、所定の桁数の数字からなるユーザコードと、そのユーザコードに登録されているメールアドレスを対応づけて記憶したユーザコードテーブル手段と、電子メールを用いて画情報を送信する際、ＭＤＮ要求情報を画情報を運ぶ電子メールのヘッダ情報に挿入する一方、ユーザにより指定されたユーザコードに対応したメールアドレスを上記ユーザコードテーブル手段より取り出し、その取り出したメールアドレスを、ＭＤＮ送付先のメールアドレスとしてセットする画情報送信手段を備えたので、ユーザコードに登録されているメールアドレスへ、ＭＤＮの送達確認メールが送信され、画情報の送信結果をより迅速に得ることができるようになるという効果も得る。
【００２７】
また、送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、電子メールを用いて画情報を送信する際、ＭＤＮ要求情報を画情報を運ぶ電子メールのヘッダ情報に挿入する一方、ユーザにより操作入力されたメールアドレスを、ＭＤＮ送付先のメールアドレスとしてセットする画情報送信手段を備えたので、ユーザが操作入力したメールアドレスへ、ＭＤＮの送達確認メールが送信され、画情報の送信結果をより迅速に得ることができるようになるという効果も得る。
【００２８】
また、送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、所定の桁数の数字からなるユーザコードと、そのユーザコードに登録されているメールアドレスを対応づけて記憶したユーザコードテーブル手段と、電子メールを用いて画情報を送信するとき、ＭＤＮ要求情報を画情報を運ぶ電子メールのヘッダ情報に挿入する一方、ユーザにより指定されたユーザコードに対応した第１のメールアドレスを上記ユーザコードテーブル手段より取り出すとともに、ユーザにより第２のメールアドレスを操作入力させ、上記第１のメールアドレスと第２のメールアドレスを、ＭＤＮ送付先のメールアドレスとしてセットする画情報送信手段を備えたので、ユーザコードに登録されているメールアドレスと、ユーザが操作入力したメールアドレスへ、ＭＤＮの送達確認メールが送信され、画情報の送信結果をより迅速に、かつ、確実に得ることができるようになるという効果も得る。
【００２９】
また、送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、所定の桁数の数字からなるユーザコードと、そのユーザコードに登録されているメールアドレスを対応づけて記憶したユーザコードテーブル手段と、電子メールを用いて画情報を送信する際、ＭＤＮ要求情報を画情報を運ぶ電子メールのヘッダ情報に挿入する一方、ユーザにより指定されたユーザコードに対応した第１のメールアドレスを上記ユーザコードテーブル手段より取り出すとともに、自端末に登録されているメールアドレスを第２のメールアドレスとして取得し、上記第１のメールアドレスと第２のメールアドレスを、ＭＤＮ送付先のメールアドレスとしてセットする画情報送信手段を備えたので、ユーザコードに登録されているメールアドレスと、ネットワークファクシミリ装置に登録されているメールアドレスへ、ＭＤＮの送達確認メールが送信され、画情報の送信結果をより迅速に、かつ、得ることができるようになるという効果も得る。
【００３０】
また、送信原稿を読み取って所定のファクシミリ画情報を作成するとともに、受信画情報を処理可能なファクシミリ装置機能と、一般公衆網に接続し、この一般公衆網を介して画情報をやりとりするファクシミリ通信機能と、ローカルエリアネットワークに接続し、このローカルエリアネットワークを介し、電子メールを用いて画情報をやりとりするネットワークファクシミリ通信機能を備えたネットワークファクシミリ装置において、電子メールを用いて画情報を送信する際、ＭＤＮ要求情報を画情報を運ぶ電子メールのヘッダ情報に挿入する一方、ユーザにより操作入力されたメールアドレスを第１のメールアドレスとして取得するとともに、自端末に登録されているメールアドレスを第２のメールアドレスとして取得し、上記第１のメールアドレスと第２のメールアドレスを、ＭＤＮ送付先のメールアドレスとしてセットする画情報送信手段を備えたので、ユーザが操作入力したメールアドレスと、ネットワークファクシミリ装置に登録されているメールアドレスへ、ＭＤＮの送達確認メールが送信され、画情報の送信結果をより迅速に、かつ、得ることができるようになるという効果も得る。
【発明を実施するための最良の形態】
【００３１】
以下、添付図面を参照しながら、本発明の実施の形態を詳細に説明する。
【００３２】
図１は、本発明の一実施例にかかるネットワークシステムを示している。
【００３３】
同図において、ローカルエリアネットワークＬＡＮには、複数のワークステーション装置ＷＳ１〜ＷＳｎ、メールサーバ装置ＳＭ、および、ネットワークファクシミリ装置ＦＸが接続されている。
【００３４】
ここで、メールサーバ装置ＳＭは、ローカルエリアネットワークＬＡＮに接続されているワークステーション装置ＷＳ１〜ＷＳｎを利用するユーザ、および、ネットワークネットワークファクシミリ装置ＦＸに対して、周知の電子メールの収集および配布のサービスを提供するものである。
【００３５】
また、ワークステーション装置ＷＳ１〜ＷＳｎには、ファクシミリ画情報を作成および表示出力するファクシミリアプリケーションソフトウェア、および、ローカルエリアネットワークＬＡＮを介して種々のデータのやりとりを行うための種々のソフトウェアなどの種々のプログラムが導入されており、特定のユーザにより使用されるものである。ここで、特定のユーザは、一人または複数人のユーザであってよい。
【００３６】
また、ネットワークファクシミリ装置ＦＸは、画情報や各種レポートなどを電子メールとしてやりとりするための電子メール処理機能、および、アナログ公衆網ＰＳＴＮに接続し、このアナログ公衆網ＰＳＴＮを伝送路として用いてグループ３ファクシミリ伝送手順による画情報伝送を行うグループ３ファクシミリ通信機能を備えている。
【００３７】
図２は、ネットワークファクシミリ装置ＦＸの構成例を示している。
【００３８】
同図において、システム制御部１は、このネットワークファクシミリ装置ＦＸの各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワークファクシミリ装置ＦＸに固有な各種の情報を記憶するためのものであり、時計回路４は、現在時刻情報を出力するものである。
【００３９】
スキャナ５は、所定の解像度で原稿画像を読み取るためのものであり、プロッタ６は、所定の解像度で画像を記録出力するためのものであり、操作表示部７は、このネットワークファクシミリ装置ＦＸを操作するためのもので、各種の操作キー、および、各種の表示器からなる。
【００４０】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００４１】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００４２】
網制御装置１１は、このネットワークファクシミリ装置ＦＸをアナログ公衆網ＰＳＴＮに接続するためのものであり、自動発着信機能を備えている。
【００４３】
ローカルエリアネットワークインターフェース回路１２は、このネットワークファクシミリ装置ＦＸをローカルエリアネットワークＬＡＮに接続するためのものであり、ローカルエリアネットワーク伝送制御部１３は、ローカルエリアネットワークＬＡＮを介して、他のデータ端末装置との間で種々のデータをやりとりするための各種所定のプロトコルスイートの通信制御処理を実行するためのものである。
【００４４】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、および、ローカルエリアネットワーク伝送制御部１３は、内部バス１４に接続されており、これらの各要素間でのデータのやりとりは、主としてこの内部バス１４を介して行われている。
【００４５】
また、網制御装置１１とグループ３ファクシミリモデム１０との間のデータのやりとりは、直接行なわれている。
【００４６】
ここで、本実施例において、基本的には、ローカルエリアネットワークＬＡＮに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ  Ｍａｉｌ  Ｔｒａｎｓｆｅｒ  Ｐｒｏｔｏｃｏｌ）という通信プロトコルが適用される。
【００４７】
また、各端末がメールサーバ装置ＳＭに対して、ユーザ宛の電子メールの受信確認や取得要求などのために適用するプロトコルとしては、いわゆるＰＯＰ（Ｐｏｓｔ  Ｏｆｆｉｃｅ  Ｐｒｏｔｏｃｏｌ）などを適用することができる。
【００４８】
また、ＴＣＰ／ＩＰ，ＳＭＴＰ，ＰＯＰなどの通信プロトコル、および、電子メールのデータ形式やデータ構造などについては、それぞれＩＥＴＦから発行されているＲＦＣ文書により規定されている。例えば、ＴＣＰはＲＦＣ７９３、ＩＰはＲＦＣ７９３、ＳＭＴＰはＲＦＣ８２１、電子メールの形式は、ＲＦＣ８２２，ＲＦＣ１５２１，ＲＦＣ１５２２（ＭＩＭＥ（Ｍｕｌｔｉ  Ｐｕｒｐｏｓｅ  Ｍａｉｌ  Ｅｘｔｅｎｓｉｏｎ）形式）などでそれぞれ規定されている。
【００４９】
そして、ネットワークファクシミリ装置ＦＸは、読み取った原稿画像をアナログ公衆網ＰＳＴＮを介して他のグループ３ファクシミリ装置へ、または、ローカルエリアネットワークＬＡＮ（さらには、インターネット）を介してワークステーション装置ＷＳ１〜ＷＳｎのユーザや他のネットワークファクシミリ装置ＦＸへ送信するとともに、アナログ公衆網ＰＳＴＮを介して他のグループ３ファクシミリ装置より受信した画情報を、そのときに指定されたサブアドレスに対応したユーザに対して、電子メールを用いて転送したり、あるいは、ローカルエリアネットワークＬＡＮのワークステーションＷＳより（電子メールで）受信した画情報を、指定されたアナログ公衆網ＰＳＴＮのグループ３ファクシミリ装置へ転送する転送サービス機能等を備えている。
【００５０】
また、自端末宛に受信した電子メールについては、本文情報に配置される画情報を取り出して、記録出力するようにしている。
【００５１】
ここで、本実施例では、このネットワークファクシミリ装置ＦＸを利用するユーザには、ユーザコードが設定されており、それぞれのユーザコードについて、上述した転送サービスに対応した転送先アドレスが登録される。これらの情報は、図３に示すようなユーザコードテーブルに登録されて、記憶される。
【００５２】
ところで、ファクシミリ画情報はバイナリデータであり、電子メールには、直接バイナリデータを含ませることができないので、所定の変換方法（例えば、Ｂａｓｅ６４符号化方法）を適用して可読情報（７ビットのキャラクタコード）に変換した状態で、電子メールに含められる。このような電子メールの本文情報の形式をＭＩＭＥ形式という。
【００５３】
このように、ファクシミリ画情報を送信する際に用いられる電子メールの一例を図４に示す。
【００５４】
この電子メールは、複数の本文パートを持つマルチパートＭＩＭＥ形式の電子メールであり（ただし、図示のものは本文パートは１つ）、電子メールの送信日付（「Ｄａｔｅ」フィールド）、宛先メールアドレス（「Ｔｏ」フィールド）、送信元メールアドレス（「Ｆｒｏｍ」フィールド）、本電子メールに対しての返信情報の送り先をあらわす返信先メールアドレス（「Ｒｅｐｌｙ−ｔｏ」フィールド）、および、メッセージ識別情報（「Ｍｅｓｓａｇｅ−ＩＤ」フィールド）などの所定の情報からなるメールヘッダ部、テキストデータを運ぶためのテキストパート部、および、ファクシミリ画情報を運ぶためのバイナリパート部からなり、バイナリパート部には、ファクシミリ画情報をＭＩＭＥ変換して得たＭＩＭＥエンコードデータが配置される。
【００５５】
また、電子メールで運ばれるファクシミリ画情報は、元の画像データをＭＨ符号化で圧縮し、それをＴＩＦＦ−Ｆフォーマットへ変換したものであり、したがって、ＭＩＭＥエンコードデータとしては、このＴＩＦＦ−ＦデータをＭＩＭＥ変換したものが配置される。
【００５６】
ここで、ＴＩＦＦ−Ｆフォーマットでは、複数ページの画像データを１つのファイルとしてまとめることができるので、１つのバイナリパート部に、複数ページからなる１つの送信画情報ファイルのデータを配置することができる。
【００５７】
以上の構成で、ユーザコード「１２３４」のユーザが、電子メールを用いて、ローカルエリアネットワークＬＡＮまたはインターネットに接続される端末のユーザに画情報を送信しようとする場合、ユーザは、送信原稿をスキャナ５にセットし、続いて、宛先のメールアドレスと自分のユーザコードを順次入力する。
【００５８】
ネットワークファクシミリ装置ＦＸは、スキャナ５に送信原稿がセットされると、ユーザに宛先の電話番号またはメールアドレスと、ユーザのユーザコードを入力するようにガイダンス表示する。
【００５９】
この場合、ネットワークファクシミリ装置ＦＸは、ユーザから宛先のメールアドレス、および、ユーザコードが入力されるので、電子メールを用いて画情報送信することを認識するとともに、ユーザコードを記憶する。そして、ユーザに対して、スタートキーを押して画情報送信の開始を指令するように促す。
【００６０】
ユーザがスタートキーを押して、画情報送信の開始を指令すると、ネットワークファクシミリ装置ＦＸは、スキャナ５にセットされている送信原稿の読み取りを行い、それによって得た画像データを蓄積用の符号化方式を適用して符号化複号化部８で符号化圧縮して画像蓄積装置９へ蓄積する。
【００６１】
次いで、ネットワークファクシミリ装置ＦＸは、そのときに記憶しているユーザコードに対応したメールアドレスを、ユーザコードテーブルから取得し、その値を返信先メールアドレスにセットするとともに、それ以外のヘッダ情報の必要なフィールドの値に、それぞれ適宜な情報をセットして、ヘッダ情報を作成する。
【００６２】
次に、ネットワークファクシミリ装置ＦＸは、画像蓄積装置９に蓄積した画情報をＴＩＦＦ−Ｆ形式の画像データへ変換し、そのＴＩＦＦ−Ｆ形式の画像データをＭＩＭＥ変換して送信画情報を運ぶ電子メールの本文情報を作成する。
【００６３】
そして、メールサーバ装置ＳＭのＳＭＴＰサーバへ接続し、作成したヘッダ情報と本文情報からなる電子メールを送信し、その電子メールの送信を終了すると、ＳＭＴＰサーバとの接続を終了する。
【００６４】
一方、ネットワークファクシミリ装置ＦＸは、電子メール受信時、受信エラーを発生すると、エラーの発生を通知するためのエラー通知メールを作成し、そのときに受信エラーを発生した電子メールの返信用メールアドレスへ、そのエラー通知メールを送信する。
【００６５】
このようにして、本実施例では、送信ユーザのユーザコードに対応したメールアドレスへ、受信側のエラー通知メールが送信されるので、送信ユーザは、自分が指定した画情報送信がエラー終了した旨を明確に知ることができ、例えば、再送信などの作業を迅速に行えることとなり、通信のサービス性が向上する。
【００６６】
図５は、電子メールを用いて画情報を送信する場合にネットワークファクシミリ装置ＦＸが実行する処理の一例を示している。
【００６７】
スキャナ５に送信原稿がセットされると、まず、ユーザに対して、宛先のメールアドレスを入力させるとともに（処理１０１）、ユーザコードを入力させる（処理１０２）。
【００６８】
次いで、ユーザがスタートキー（図示略）を押して、送信開始を指令するまで待ち（判断１０３のＮＯループ）、判断１０３の結果がＹＥＳになると、スキャナ５にセットされている送信原稿の読み取りを行い（処理１０４）、それによって得た画像データを、蓄積用の符号化方式を適用して符号化複号化部８で符号化圧縮して画像蓄積装置９へ蓄積する（処理１０５）。
【００６９】
次いで、そのときに記憶しているユーザコードに対応した転送先アドレスを、ユーザコードテーブルから取得し（処理１０６）、その値を返信先メールアドレスにセットするとともに、それ以外のヘッダ情報の必要なフィールドの値に、それぞれ適宜な情報をセットして、ヘッダ情報を作成する（処理１０７）。
【００７０】
次に、画像蓄積装置９に蓄積した画情報をＴＩＦＦ−Ｆ形式の画像データへ変換し（処理１０８）、そのＴＩＦＦ−Ｆ形式の画像データをＭＩＭＥ変換して送信画情報を運ぶ電子メールの本文情報を作成する（処理１０９）。
【００７１】
そして、メールサーバ装置ＳＭのＳＭＴＰサーバへ接続し（処理１１０）、処理１０７，１０９で作成したヘッダ情報と本文情報からなる電子メールを送信し（処理１１１）、その電子メールの送信を終了すると、ＳＭＴＰサーバとの接続を終了する（処理１１２）。
【００７２】
図６は、ネットワークファクシミリ装置ＦＸが電子メール受信時に実行する処理の一例を示している。この電子メール受信動作は、一定時間間隔（例えば、１０分）で起動される。
【００７３】
まず、メールサーバ装置ＳＭのＰＯＰサーバへ接続し（処理２０１）、自端末宛の未読メールが受信されているかどうかを問い合わせる（処理２０２）。未読メールが受信されていない場合で、判断２０３の結果がＮＯになるときには、ＰＯＰサーバとの接続を終了し（処理２０４）、この処理を終了する。
【００７４】
また、未読メールが受信されている場合で、判断２０３の結果がＹＥＳになるときには、未読メールを１つ受信して取得し（処理２０５）、ＰＯＰサーバとの接続を終了する（処理２０６）。
【００７５】
次いで、その未読メールの受信時に受信エラーが発生したかどうかを調べる（判断２０７）。受信エラーが発生せずに正常受信できた場合で、判断２０７の結果がＮＯになるときには、受信した電子メールの本文情報取り出して、ＭＩＭＥエンコードしてＴＩＦＦ−Ｆ形式の画像データを作成し、その画像データをファクシミリ画像データへ変換してプロッタ６に転送し、それによって、受信原稿を記録出力する（処理２０８）。また、記録出力を終了した電子メールは、画像蓄積装置９から削除する（処理２０９）。次いで、処理２０１へ戻り、再度ＰＯＰサーバへ接続して、未読メールについての処理を実行する。
【００７６】
また、受信エラーが発生した場合で、判断２０７の結果がＹＥＳになるときには、所定の文面のエラー通知メールを作成する（処理２１０）。また、このエラー通知メールの宛先メールアドレスは、受信エラーした電子メールに返信先メールアドレスとしてセットされているメールアドレスを適用する。
【００７７】
次いで、メールサーバ装置ＳＭのＳＭＴＰサーバへ接続し（処理２１１）、処理２１０で作成したエラー通知メールを送信し（処理２１２）、その電子メールの送信を終了すると、ＳＭＴＰサーバとの接続を終了する（処理２１３）。次いで、処理２０１へ戻り、再度ＰＯＰサーバへ接続して、未読メールについての処理を実行する。
【００７８】
ところで、上述した実施例では、ユーザにユーザコードを入力させ、そのユーザコードに登録されている転送先アドレスを、返信用メールアドレスとして適用しているが、この返信用メールアドレスの値を、ユーザに直接的に入力させるようにすることもできる。
【００７９】
この場合、ユーザは、エラー通知メールなどの返信情報を受け取ることができるメールアドレスを任意に指定することができるので、非常に柔軟性が高くなる。
【００８０】
なお、ユーザが入力する返信用メールアドレスの値としては、例えば、使用するネットワークファクシミリ装置ＦＸに登録されているメールアドレスを適用することができる。その場合、返信用情報は、ネットワークファクシミリ装置ＦＸより記録出力されるので、送信ユーザは、返信用情報の内容を確認することができる。また、かかる場合には、ユーザの入力を省略するようにすることもできる。
【００８１】
図７は、電子メールを用いて画情報を送信する場合にネットワークファクシミリ装置ＦＸが実行する処理の他の例を示している。
【００８２】
スキャナ５に送信原稿がセットされると、まず、ユーザに対して、宛先のメールアドレスを入力させるとともに（処理３０１）、エラー通知先メールアドレスを入力させ（処理３０１）、その入力されたエラー通知先メールアドレスを記憶する。
【００８３】
次いで、ユーザがスタートキー（図示略）を押して、送信開始を指令するまで待ち（判断３０３のＮＯループ）、判断３０３の結果がＹＥＳになると、スキャナ５にセットされている送信原稿の読み取りを行い（処理３０４）、それによって得た画像データを、蓄積用の符号化方式を適用して符号化複号化部８で符号化圧縮して画像蓄積装置９へ蓄積する（処理３０５）。
【００８４】
次いで、そのときに記憶しているエラー通知先メールアドレスを返信先メールアドレスにセットするとともに、それ以外のヘッダ情報の必要なフィールドの値に、それぞれ適宜な情報をセットしてヘッダ情報を作成する（処理３０６）。
【００８５】
次に、画像蓄積装置９に蓄積した画情報をＴＩＦＦ−Ｆ形式の画像データへ変換し（処理３０７）、そのＴＩＦＦ−Ｆ形式の画像データをＭＩＭＥ変換して送信画情報を運ぶ電子メールの本文情報を作成する（処理３０８）。
【００８６】
そして、メールサーバ装置ＳＭのＳＭＴＰサーバへ接続し（処理３０９）、処理３０６，３０８で作成したヘッダ情報と本文情報からなる電子メールを送信し（処理３１０）、その電子メールの送信を終了すると、ＳＭＴＰサーバとの接続を終了する（処理３１１）。
【００８７】
ところで、返信用メールアドレスは、複数設定可能であり、例えば、図８に示すように２つのメールアドレスを配置することができる。ここで、返信用メールアドレスに用いられている内容は、ユーザコードに対応して登録されている転送用メールアドレスと、ユーザが操作入力したエラー通知用メールアドレスの２つである。
【００８８】
このように、複数の返信用メールアドレスを適用することで、送信側ユーザと他の適切な宛先へ、エラー通知メールなどの返信情報が送信されることとなり、例えば、エラー通知の確実性が向上する。
【００８９】
図９は、電子メールを用いて画情報を送信する場合にネットワークファクシミリ装置ＦＸが実行する処理のさらに他の例を示している。
【００９０】
スキャナ５に送信原稿がセットされると、まず、ユーザに対して、宛先のメールアドレスを入力させるとともに（処理４０１）、ユーザコードを入力させ（処理４０２）、さらに、エラー通知先メールアドレスを入力させ（処理４０３）、その入力されたエラー通知先メールアドレスを記憶する。
【００９１】
次いで、ユーザがスタートキー（図示略）を押して、送信開始を指令するまで待ち（判断４０４のＮＯループ）、判断４０４の結果がＹＥＳになると、スキャナ５にセットされている送信原稿の読み取りを行い（処理４０５）、それによって得た画像データを、蓄積用の符号化方式を適用して符号化複号化部８で符号化圧縮して画像蓄積装置９へ蓄積する（処理４０６）。
【００９２】
次いで、そのときに記憶しているユーザコードに対応したメールアドレスを、ユーザコードテーブルから取得し（処理４０７）、その値と、記憶しているエラー通知用メールアドレスの２つのメールアドレスを返信先メールアドレスにセットするとともに、それ以外のヘッダ情報の必要なフィールドの値に、それぞれ適宜な情報をセットして、ヘッダ情報を作成する（処理４０８）。
【００９３】
次に、画像蓄積装置９に蓄積した画情報をＴＩＦＦ−Ｆ形式の画像データへ変換し（処理４０９）、そのＴＩＦＦ−Ｆ形式の画像データをＭＩＭＥ変換して送信画情報を運ぶ電子メールの本文情報を作成する（処理４１０）。
【００９４】
そして、メールサーバ装置ＳＭのＳＭＴＰサーバへ接続し（処理４１１）、処理４０８，４１０で作成したヘッダ情報と本文情報からなる電子メールを送信し（処理４１２）、その電子メールの送信を終了すると、ＳＭＴＰサーバとの接続を終了する（処理４１３）。
【００９５】
ところで、インターネットにおける電子メールシステムには、送信した電子メールが相手ユーザで処理されたことを確認することができる仕組みとして、ＭＤＮ（Ｍｅｓｓａｇｅ  Ｄｉｓｐｏｓｉｔｏｉｎ  Ｎｏｔｉｆｉｃａｔｉｏｎ）が規定されている。
【００９６】
このＭＤＮは、受信端末までの送達確認のために用いられるものであり、したがって、ＭＤＮの機能は、端末であるネットワークファクシミリ装置ＦＸに搭載される。また、このＭＤＮの詳細については、ＲＦＣ２２９８で規定されている。
【００９７】
このようなＭＤＮによる送達確認を受けようとする場合、図１０に示すように、画情報を送信する電子メールのヘッダ情報には、「Ｄｉｓｐｏｓｉｔｉｏｎ−Ｎｏｔｉｆｉｃａｔｉｏｎ−Ｔｏ」フィールドを設ける。また、この「Ｄｉｓｐｏｓｉｔｉｏｎ−Ｎｏｔｉｆｉｃａｔｉｏｎ−Ｔｏ」フィールドの値は、ＭＤＮの送達確認メールの送付先のメールアドレスをセットする。本実施例では、ユーザコードに対応して登録されている転送先メールアドレスをセットする。
【００９８】
また、送達確認メールの一例を図１１に示す。
【００９９】
このＭＤＮの送達確認メールは、マルチパートＭＩＭＥ形式の電子メールであり、この場合、２つめのテキストパート（ＭＩＭＥパート）の「Ｄｉｓｐｏｓｉｔｉｏｎ：  ｍａｎｕａｌ−ａｃｔｉｏｎ／ＭＤＮ−ｓｅｎｔ−ｍａｎｕａｌｌｙ；  ｄｉｓｐｌａｙｅｄ（またはｐｒｏｃｅｓｓｅｄ）」という文字列により、送信結果が正常終了であった旨が通知されている。
【０１００】
また、送信結果がエラー終了の場合には、例えば、「Ｄｉｓｐｏｓｉｔｉｏｎ：  ｍａｎｕａｌ−ａｃｔｉｏｎ／ＭＤＮ−ｓｅｎｔ−ｍａｎｕａｌｌｙ；  ｆａｉｌｅｄ」という文字列が配置されて、送信結果が異常終了であった旨が通知される。
【０１０１】
このようにして、本実施例では、画情報送信時、画情報を運ぶ電子メールにＭＤＮ要求の情報をセットするとともに、そのＭＤＮの送付先のメールアドレスとして、ユーザコードに登録された転送先メールアドレスをセットしているので、送信ユーザにＭＤＮの送達確認メールが送付され、その結果、送信ユーザは、自分が実行した画情報送信の結果を適切に知ることができる。
【０１０２】
図１２は、電子メールを用いて画情報を送信する場合にネットワークファクシミリ装置ＦＸが実行する処理のさらに他の例を示している。
【０１０３】
スキャナ５に送信原稿がセットされると、まず、ユーザに対して、宛先のメールアドレスを入力させるとともに（処理５０１）、ユーザコードを入力させる（処理５０２）。
【０１０４】
次いで、ユーザがスタートキー（図示略）を押して、送信開始を指令するまで待ち（判断５０３のＮＯループ）、判断５０３の結果がＹＥＳになると、スキャナ５にセットされている送信原稿の読み取りを行い（処理５０４）、それによって得た画像データを、蓄積用の符号化方式を適用して符号化複号化部８で符号化圧縮して画像蓄積装置９へ蓄積する（処理５０５）。
【０１０５】
次いで、そのときに記憶しているユーザコードに対応した転送先アドレスを、ユーザコードテーブルから取得し（処理５０６）、上述したようなＭＤＮ要求のためのフィールドを設けるとともに、そのフィールドの値として処理５０６で取得した転送先アドレスをセットし、さらに、それ以外のヘッダ情報の必要なフィールドの値に、それぞれ適宜な情報をセットして、ヘッダ情報を作成する（処理５０７）。
【０１０６】
次に、画像蓄積装置９に蓄積した画情報をＴＩＦＦ−Ｆ形式の画像データへ変換し（処理５０８）、そのＴＩＦＦ−Ｆ形式の画像データをＭＩＭＥ変換して送信画情報を運ぶ電子メールの本文情報を作成する（処理５０９）。
【０１０７】
そして、メールサーバ装置ＳＭのＳＭＴＰサーバへ接続し（処理５１０）、処理５０７，５０９で作成したヘッダ情報と本文情報からなる電子メールを送信し（処理５１１）、その電子メールの送信を終了すると、ＳＭＴＰサーバとの接続を終了する（処理５１２）。
【０１０８】
図１３は、ネットワークファクシミリ装置ＦＸが電子メール受信時に実行する処理のさらに他の例を示している。この電子メール受信動作は、一定時間間隔（例えば、１０分）で起動される。
【０１０９】
まず、メールサーバ装置ＳＭのＰＯＰサーバへ接続し（処理６０１）、自端末宛の未読メールが受信されているかどうかを問い合わせる（処理６０２）。未読メールが受信されていない場合で、判断６０３の結果がＮＯになるときには、ＰＯＰサーバとの接続を終了し（処理６０４）、この処理を終了する。
【０１１０】
また、未読メールが受信されている場合で、判断６０３の結果がＹＥＳになるときには、未読メールを１つ受信して取得し（処理６０５）、ＰＯＰサーバとの接続を終了する（処理６０６）。
【０１１１】
次いで、その未読メールの受信時に受信エラーが発生したかどうかを調べる（判断６０７）。受信エラーが発生せずに正常受信できた場合で、判断６０７の結果がＮＯになるときには、受信した電子メールの本文情報取り出して、ＭＩＭＥエンコードしてＴＩＦＦ−Ｆ形式の画像データを作成し、その画像データをファクシミリ画像データへ変換してプロッタ６に転送し、それによって、受信原稿を記録出力する（処理２０８）。また、記録出力を終了した電子メールは、画像蓄積装置９から削除する（処理２０９）。
【０１１２】
そして、上述したようなＭＤＮの正常終了時の送達確認メールを作成し（処理６１０）、メールサーバ装置ＳＭのＳＭＴＰサーバへ接続し（処理６１１）、処理６１０で作成した送達確認メールを送信し（処理６１２）、その電子メールの送信を終了すると、ＳＭＴＰサーバとの接続を終了する（処理６１３）。次いで、処理２０１へ戻り、再度ＰＯＰサーバへ接続して、未読メールについての処理を実行する。
【０１１３】
また、受信エラーが発生した場合で、判断６０７の結果がＹＥＳになるときには、上述したようなＭＤＮのエラー終了時の送達確認メールを作成し（処理６１４）、メールサーバ装置ＳＭのＳＭＴＰサーバへ接続し（処理６１５）、処理６１４で作成した送達確認メールを送信し（処理６１６）、その電子メールの送信を終了すると、ＳＭＴＰサーバとの接続を終了する（処理６１７）。次いで、処理６０１へ戻り、再度ＰＯＰサーバへ接続して、未読メールについての処理を実行する。
【０１１４】
ところで、ＭＤＮ要求時に指定するメールアドレスは、複数個を指定することができる。その場合のＭＤＮ要求メールの一例を図１４に示す。この場合、「ｗｓａ１＠ａｂｃ．ｃｏ．ｊｐ」と「ｉｆａｘａ＠ａｂｃ．ｃｏ．ｊｐ」の２つが送達確認メールの送付先として指定されている。
【０１１５】
このＭＤＮ要求メールに応答した送達確認メールの一例を図１５に示す。この場合、送信先メールアドレスとして、「ｗｓａ１＠ａｂｃ．ｃｏ．ｊｐ」と「ｉｆａｘａ＠ａｂｃ．ｃｏ．ｊｐ」の２つがセットされている。
【０１１６】
したがって、この場合は、複数の送付先へＭＤＮの送達確認メールが送信されるので、画情報送信結果の確実性が大幅に向上する。例えば、その１つをネットワークファクシミリ装置ＦＸに設定しておけば、送達確認メールの受信原稿が記録出力されることとなり、送信ユーザが視認できる可能性が高くなる。
【０１１７】
図１６は、この場合に、電子メールを用いて画情報を送信する場合にネットワークファクシミリ装置ＦＸが実行する処理の一例を示している。
【０１１８】
スキャナ５に送信原稿がセットされると、まず、ユーザに対して、宛先のメールアドレスを入力させるとともに（処理７０１）、ユーザコードを入力させ（処理７０２）、さらに、エラー通知先メールアドレスを入力させ（処理７０３）、その入力されたエラー通知先メールアドレスを記憶する。
【０１１９】
次いで、ユーザがスタートキー（図示略）を押して、送信開始を指令するまで待ち（判断７０４のＮＯループ）、判断７０４の結果がＹＥＳになると、スキャナ５にセットされている送信原稿の読み取りを行い（処理７０５）、それによって得た画像データを、蓄積用の符号化方式を適用して符号化複号化部８で符号化圧縮して画像蓄積装置９へ蓄積する（処理７０６）。
【０１２０】
次いで、そのときに記憶しているユーザコードに対応したメールアドレスを、ユーザコードテーブルから取得し（処理７０７）、上述したようなＭＤＮ要求のためのフィールドを設けるとともに、そのフィールドの値として、処理７０７で取得した転送先アドレス、および、記憶しているエラー通知用メールアドレスの２つのメールアドレスをセットし、さらに、それ以外のヘッダ情報の必要なフィールドの値に、それぞれ適宜な情報をセットして、ヘッダ情報を作成する（処理７０８）。
【０１２１】
次に、画像蓄積装置９に蓄積した画情報をＴＩＦＦ−Ｆ形式の画像データへ変換し（処理７０９）、そのＴＩＦＦ−Ｆ形式の画像データをＭＩＭＥ変換して送信画情報を運ぶ電子メールの本文情報を作成する（処理７１０）。
【０１２２】
そして、メールサーバ装置ＳＭのＳＭＴＰサーバへ接続し（処理７１１）、処理７０８，７１０で作成したヘッダ情報と本文情報からなる電子メールを送信し（処理７１２）、その電子メールの送信を終了すると、ＳＭＴＰサーバとの接続を終了する（処理７１３）。
【図面の簡単な説明】
【０１２３】
【図１】本発明の一実施例にかかるネットワークシステムを示したブロック図。
【図２】ネットワークファクシミリ装置ＦＸの構成例を示したブロック図。
【図３】ユーザコードテーブルの一例を示した概略図。
【図４】ファクシミリ画情報を送信する際に用いられる電子メール（返信先メールアドレス付）の一例を示した概略図。
【図５】電子メールを用いて画情報を送信する場合にネットワークファクシミリ装置ＦＸが実行する処理の一例を示したフローチャート。
【図６】ネットワークファクシミリ装置ＦＸが電子メール受信時に実行する処理の一例を示したフローチャート。
【図７】電子メールを用いて画情報を送信する場合にネットワークファクシミリ装置ＦＸが実行する処理の他の例を示したフローチャート。
【図８】ファクシミリ画情報を送信する際に用いられる電子メール（２つの返信先メールアドレス付）の一例を示した概略図。
【図９】電子メールを用いて画情報を送信する場合にネットワークファクシミリ装置ＦＸが実行する処理のさらに他の例を示したフローチャート。
【図１０】ＭＤＮ要求付の電子メールの一例を示した概略図。
【図１１】送達確認メールの一例を示した概略図。
【図１２】電子メールを用いて画情報を送信する場合にネットワークファクシミリ装置ＦＸが実行する処理のさらに他の例を示したフローチャート。
【図１３】ネットワークファクシミリ装置ＦＸが電子メール受信時に実行する処理のさらに他の例を示したフローチャート。
【図１４】ＭＤＮ要求付の電子メールの他の例を示した概略図。
【図１５】送達確認メールの他の例を示した概略図。
【図１６】電子メールを用いて画情報を送信する場合にネットワークファクシミリ装置ＦＸが実行する処理のさらに他の例を示したフローチャート。
【符号の説明】
【０１２４】
１  システム制御部
２  システムメモリ
【図１】
2007060683.tif 000003
【図２】
2007060683.tif 000004
【図３】
2007060683.tif 000005
【図４】
2007060683.tif 000006
【図５】
2007060683.tif 000007
【図６】
2007060683.tif 000008
【図７】
2007060683.tif 000009
【図８】
2007060683.tif 000010
【図９】
2007060683.tif 000011
【図１０】
2007060683.tif 000012
【図１１】
2007060683.tif 000013
【図１２】
2007060683.tif 000014
【図１３】
2007060683.tif 000015
【図１４】
2007060683.tif 000016
【図１５】
2007060683.tif 000017
【図１６】
2007060683.tif 000018